(57)【要約】【課題】  狭額縁化および小型化を容易に図ることのできる液晶表示装置を提供する。【解決手段】  ２個の液晶表示パネル１２によって個別の表示を表裏の両面で行う液晶表示装置１１において、２個の液晶表示パネル１２のうちの一方の液晶表示パネル１２Ｍの画像表示領域１４Ｍを他方の液晶表示パネル１２Ｓの画像表示領域１４Ｓより大きく形成し、一方の液晶表示パネル１２Ｍの液晶駆動用半導体素子１７を、他方の液晶表示パネル１２Ｓの端子形成部１６Ｓに実装する。【選択図】      図１
2005099630.tif 000002
【特許請求の範囲】
【請求項１】
２個の液晶表示パネルによって個別の表示を表裏の両面で行う液晶表示装置において、
前記２個の液晶表示パネルのうちの一方の液晶表示パネルにおける画像表示領域が他方の液晶表示パネルにおける画像表示領域より大きく形成されているとともに、
前記一方の液晶表示パネルを駆動する液晶駆動用半導体素子が、前記他方の液晶表示パネルの端子形成部に実装されていることを特徴とする液晶表示装置。
【発明の詳細な説明】
【技術分野】
【０００１】
本発明は、小型化を実現するのに好適な表裏の両面で表示を行う液晶表示装置に関する。
【背景技術】
【０００２】
従来から情報表示を行う表示装置の一種として、小型かつ軽量でしかも設置スペースが少なくてすむ液晶表示装置が知られており、このような液晶表示装置の表示部として一対の基板の間に液晶が封入された液晶表示パネルが用いられている。
【０００３】
近年の液晶表示パネルとしては、基板の端子形成部に接続端子を形成し、この接続端子に液晶駆動用ＬＳＩあるいは液晶駆動用ＩＣなどの液晶駆動用半導体素子のバンプを異方性導電材を用いて直接接続するＣＯＧ（chip on glass ）実装方式のものが、液晶駆動用半導体素子のパッケージに必要な部材および工数の削減、端子のファインピッチ化、構造の簡略化などを容易に行うことができるなどの理由により多用されている（例えば、特許文献１参照）。
【０００４】
また、近年においては、２個の液晶表示パネルにより個別の表示を表裏の両面で行うことのできる液晶表示装置が折り畳み型の携帯電話などの小型の携帯用端末の表示装置として用いられている（例えば、特許文献２）。
【０００５】
従来の表裏両面で表示を行うことのできる液晶表示装置について、折り畳み型の携帯電話に用いる液晶表示装置を例示して説明する。
【０００６】
図３は従来の表裏両面で表示を行う液晶表示装置の模式的断面図であり、図４はサブパネルの模式的平面図である。
【０００７】
図３に示すように、例えば従来の液晶表示装置１は、個別の表示を表裏の両面で行うための、２個の液晶表示パネル２を有している。これら２個の液晶表示パネル２は、図３の左右方向を長辺とする平面ほぼ矩形状に形成されており、共用の照明装置の一部を構成する導光板３を挟んで配置されている。そして、２個の液晶表示パネル２のうち図３の上方に示す液晶表示パネルは、主情報の表示に用いるサイズの大きなメインパネル２Ｍとされており、図３の下方に示す液晶表示パネルは、概略的あるいは補助的な情報の表示に用いるサイズの小さなサブパネル２Ｓとされている。また、メインパネル２Ｍの画像表示領域４Ｍは、サブパネル２Ｓの画像表示領域４Ｓより大きく形成されているとともに、メインパネル２Ｍの外形寸法がサブパネル２Ｓの外形寸法より大きく、詳しくはメインパネル２Ｍの図３の左右方向に示す長辺に沿った長さ寸法５Ｍがサブパネル２Ｓの長辺に沿った長さ寸法５Ｓより大きく形成されている。さらに、２個の液晶表示パネル２は、それぞれの左端面がほぼ面一となるように配置されている。
【０００８】
前記メインパネル２Ｍの図３の上方に示す基板２Ｍａの少なくとも右辺には、図３に誇張して示すように、図３の下方に示す基板２Ｍｂの外側、すなわち画像表示領域４Ｍの外側へ張り出す端子形成部６Ｍが形成されている。そして、端子形成部６Ｍには、液晶駆動用半導体素子７、詳しくはメインパネル用の液晶駆動用半導体素子７Ｍが実装されている。また、端子形成部６Ｍの基板端縁側には、電源および信号などの供給に用いる可撓配線板８、詳しくはメインパネル用の可撓配線板８Ｍの一端が接続されている。
【０００９】
前記サブパネル２Ｓの図３の下方に示す基板２Ｓａの少なくとも右辺には、図３および図４に誇張して示すように、図３の上方に示す基板２Ｓｂの外側、すなわち画像表示領域４Ｓの外側へ張り出す端子形成部６Ｓが形成されている。そして、端子形成部６Ｓには、液晶駆動用半導体素子７、詳しくはサブパネル用の液晶駆動用半導体素子７Ｓが実装されている。また、端子形成部６Ｓの基板端縁側には、電源および信号などの供給に用いる可撓配線板８、詳しくはサブパネル用の可撓配線板８Ｓの一端が接続されている。
【００１０】
なお、両液晶表示パネル２の端子形成部６（符号６は、端子形成部６Ｍおよび端子形成部６Ｓを総称する）には、ともに可撓配線板８との接続に用いる外部接続端子、液晶駆動用半導体素子７のバンプとの接続に用いる入力端子および出力端子などの多数の端子が形成されており、端子形成部６を含む液晶表示パネルの額縁部分には、外部接続端子と入力端子とを接続する入力側引き回し配線、出力端子と表示用電極とを接続する出力側引き回し配線などの所定パターンが形成されている。
【００１１】
【特許文献１】特開２００２−１９６７０３号公報
【特許文献２】特開２００１−０６７０４９号公報
【発明の開示】
【発明が解決しようとする課題】
【００１２】
ところで、前述した従来の液晶表示装置１においては、２個の液晶表示パネル２のそれぞれの端子形成部６に、液晶駆動用半導体素子７を搭載する構成とされているため、近年の狭額縁化および小型化の要求、例えば近年の携帯電話などの小型の携帯用端末の表示部として用いる液晶表示装置の場合、液晶表示パネルにおける０．５ｍｍあるいは１ｍｍ単位での狭額縁化および小型化の要求に応えることができないという問題点があった。
【００１３】
すなわち、従来の液晶表示装置１においては、２個の液晶表示パネル２のそれぞれの端子形成部６に、液晶駆動用半導体素子７を搭載する構成とされているため、端子形成部６に液晶駆動用半導体素子７の搭載領域を設ける必要があり、端子形成部６の図３の左右方向に示す長さ寸法が、液晶駆動用半導体素子７の搭載領域の分、例えば３ｍｍ程度大きくなるという問題点があった。その結果、メインパネル２Ｍの長さ寸法５Ｍが、液晶駆動用半導体素子７の搭載領域の分だけ大きくなり、狭額縁化および小型化を阻害するという問題点があった。
【００１４】
本発明はこの点に鑑みてなされたものであり、狭額縁化および小型化を容易に図ることのできる液晶表示装置を提供することを目的とする。
【課題を解決するための手段】
【００１５】
前述した目的を達成するため、特許請求の範囲の請求項１に係る本発明の液晶表示装置の特徴は、２個の液晶表示パネルによって個別の表示を表裏の両面で行う液晶表示装置において、前記２個の液晶表示パネルのうちの一方の液晶表示パネルにおける画像表示領域が他方の液晶表示パネルにおける画像表示領域より大きく形成されているとともに、前記一方の液晶表示パネルを駆動する液晶駆動用半導体素子が、前記他方の液晶表示パネルの端子形成部に実装されている点にある。そして、このような構成を採用したことにより、２個の液晶表示パネルのうちの外形サイズの大きな液晶表示パネルの端子形成部に液晶駆動用半導体素子を実装するための搭載領域を設けなくてすむ。
【発明の効果】
【００１６】
請求項１に係る本発明の液晶表示装置によれば、外形サイズの大きな液晶表示パネルの端子形成部に液晶駆動用半導体素子を実装するための搭載領域を設けなくてすむので、狭額縁化および小型化を容易に図ることができるなどの極めて優れた効果を奏する。
【発明を実施するための最良の形態】
【００１７】
以下、本発明を図面に示す実施形態により説明する。
【００１８】
図１および図２は本発明に係る液晶表示装置の実施形態の要部を示すものであり、図１は模式的断面図、図２はサブパネルの模式的平面図である。
【００１９】
本実施形態の液晶表示装置は、折り畳み型の携帯電話に用いるものを例示している。
【００２０】
図１に示すように、本実施形態の液晶表示装置１１は、個別の表示を表裏の両面で行うための、２個の液晶表示パネル１２を有している。これら２個の液晶表示パネル１２は、図３の左右方向を長辺とする平面ほぼ矩形状に形成されており、共用の照明装置の一部を構成する導光板１３を挟んで配置されている。そして、２個の液晶表示パネル１２のうち図１の上方に示す液晶表示パネルは、主情報の表示に用いるサイズの大きなメインパネル１２Ｍとされており、図１の下方に示す液晶表示パネルは、概略的あるいは補助的な情報の表示に用いるサイズの小さなサブパネル１２Ｓとされている。また、メインパネル１２Ｍの画像表示領域１４Ｍは、サブパネル１２Ｓの画像表示領域１４Ｓより大きく形成されているとともに、メインパネル１２Ｍの外形寸法がサブパネル１２Ｓの外形寸法より大きく、詳しくは、少なくともメインパネル１２Ｍの図１の左右方向に示す長辺に沿った長さ寸法１５Ｍがサブパネル１２Ｓの長辺に沿った長さ寸法１５Ｓより大きく形成されている。さらに、２個の液晶表示パネル１２は、それぞれの左端面がほぼ面一となるように配置されている。
【００２１】
前記メインパネル１２Ｍの図１の上方に示す基板１２Ｍａの少なくとも右辺には、図１に誇張して示すように、図１の下方に示す基板１２Ｍｂの外側、すなわち画像表示領域１４Ｍの外側へ張り出す端子形成部１６Ｍが形成されている。この端子形成部１６Ｍの基板端縁側には、サブパネル１２Ｓを介して電力および信号の供給を受けるため、メインパネル１２Ｍとサブパネル１２Ｓとを電気的に接続する可撓配線板１８の一端が接続されている。なお、メインパネル１２Ｍの端子形成部１６Ｍには、可撓配線板１８との接続に用いる外部接続端子が形成されており、端子形成部１６Ｍを含む額縁部分には、外部接続端子と表示用電極とを接続する引き回し配線などの所定パターンが形成されている。
【００２２】
前記サブパネル１２Ｓの図１の下方に示す基板１２Ｓａの少なくとも右辺には、図１および図２に誇張して示すように、図１の上方に示す基板１２Ｓｂの外側、すなわち画像表示領域１４Ｓの外側へ張り出す端子形成部１６Ｓが形成されており、この端子形成部１６Ｓには、２つの液晶駆動用半導体素子１７、詳しくはメインパネル用の液晶駆動用半導体素子１７Ｍおよびサブパネル用の液晶駆動用半導体素子１７Ｓが実装されている。さらに、端子形成部１６Ｓの基板端縁側には、可撓配線板１８の他端が接続されている。また、端子形成部１６Ｓの一側端縁側には、図２に示すように、２個の液晶表示パネル１２の両者に電源および信号を供給するための可撓配線板１９の一端が接続されている。なお、サブパネル１２Ｓの端子形成部１６Ｓには、２つの可撓配線板１８、１９との接続に用いる２組の外部接続端子、２つの液晶駆動用半導体素子１７のバンプとのそれぞれの接続に用いる２組の入力端子および出力端子などの多数の端子が形成されており、端子形成部１６Ｓを含む液晶表示パネルの額縁部分には、外部接続端子と入力端子とを接続する入力側引き回し配線、出力端子と表示用電極とを接続する出力側引き回し配線などの所定パターンが形成されている。
【００２３】
その他の構成については、従来公知の液晶表示装置と同様とされているので、その詳しい説明および図示は省略する。
【００２４】
なお、２個の液晶表示パネル１２のそれぞれに照明装置を個別に設ける構成としてもよいし、２個の液晶表示パネル１２の間に導光板１３を設けない構成としてもよい。
【００２５】
つぎに、前述した構成からなる本実施形態の作用について説明する。
【００２６】
本実施形態の液晶表示装置１１によれば、メインパネル用の液晶駆動用半導体素子１７Ｍを、サブパネル１２Ｓの端子形成部１６Ｓに搭載しているので、メインパネル１２Ｍの端子形成部１６Ｍに液晶駆動用半導体素子１７を実装するための搭載領域を設けなくてすむ。その結果、メインパネル１２Ｍの画像表示領域１４Ｍのサイズを変えずに、メインパネル１２Ｍの端子形成部１６Ｍの図１の左右方向に示す長さ寸法を、従来のメインパネル２Ｍの端子形成部６Ｍに液晶駆動用半導体素子７を実装する構成に比べて、少なくとも液晶駆動用半導体素子７の搭載に必要な分だけ、容易かつ確実に短くすることができる。例えば、従来の端子形成部６Ｍの長さ寸法が５ｍｍ程度であったのに対し、本実施形態の端子形成部１６Ｍの長さ寸法は１．２ｍｍ程度に縮小することができる。
【００２７】
すなわち、本実施形態の液晶表示装置１１によれば、メインパネル１２Ｍの長辺に沿った長さ寸法１５Ｍを、従来より短くすることができる。
【００２８】
したがって、本実施形態の液晶表示装置１１によれば、サイズの大きな液晶表示パネルであるメインパネル１２Ｍの端子形成部１６Ｍに液晶駆動用半導体素子１７を実装するための搭載領域を設けなくてすむので、狭額縁化および小型化を容易に図ることができる。
【００２９】
なお、本発明は、前述した実施形態に限定されるものではなく、必要に応じて種々の変更が可能である。
【００３０】
例えば、サブパネルの大きさは、メインパネルより小さければよく、ほぼ同一の大きさとしてもよい。
【００３１】
また、メインパネルを駆動させる液晶駆動用半導体素子は、サブパネルの端子形成部であればどの位置に搭載してもよく、端子形成部の突出方向と垂直方向に各液晶駆動用半導体素子と並列で搭載されていてもよい。
【図面の簡単な説明】
【００３２】
【図１】本発明に係る液晶表示装置の実施形態の要部を示す模式的断面図
【図２】図１のサブパネルの要部を示す模式的平面図
【図３】従来の液晶表示装置の要部を示す模式的断面図
【図４】図２のサブパネルの要部を示す模式的平面図
【符号の説明】
【００３３】
１１  液晶表示装置
１２  液晶表示パネル
１２Ｍ  メインパネル
１２Ｓ  サブパネル
１２Ｍａ、１２Ｍｂ、１２Ｓａ、１２Ｓｂ  基板
１４Ｍ、１４Ｓ  画像表示領域
１５Ｍ、１５Ｓ  長さ寸法
１６、１６Ｍ、１６Ｓ  端子形成部
１７、１７Ｍ、１７Ｓ  液晶駆動用半導体素子
【図１】
2005099630.tif 000003
【図２】
2005099630.tif 000004
【図３】
2005099630.tif 000005
【図４】
2005099630.tif 000006